(57)【要約】【課題】全ての遊技者にとって遊技を行ない易くした遊技機を提供する。【解決手段】本発明に係る遊技機は、遊技領域を備えた筐体１２と、筐体１２に設けられて、筐体１２を上下動させる昇降ユニット５０とを有することを特徴とする。そして、筐体１２に設けられた昇降ボタン８０，８１を押圧操作することで、遊技者は、最適な高さ位置となるように、遊技機を調整することが可能となる。【選択図】    図２
2006271719.tif 000002
【特許請求の範囲】
【請求項１】
遊技領域を備えた筐体と、
前記筐体に設けられ、筐体を上下動させる昇降ユニットと、
を有することを特徴とする遊技機。
【請求項２】
前記昇降ユニットは、駆動モータと、この駆動モータの正転／逆転駆動によってその駆動力を、前記筐体の上下動運動に変換する動力伝達機構とを有することを特徴とする請求項１に記載の遊技機。
【請求項３】
遊技機を隣接して複数台設置可能な基台を有する島設備であって、
前記基台の遊技機が設置される部分に、設置される遊技機を上下動させる昇降ユニットを配設したことを特徴とする遊技機が複数台設置される島設備。
【請求項４】
前記昇降ユニットは、駆動モータと、この駆動モータの正転／逆転駆動によってその駆動力を、設置される筐体の上下動運動に変換する動力伝達機構とを有することを特徴とする請求項３に記載の遊技機。
【発明の詳細な説明】
【技術分野】
【０００１】
本発明は、スロットマシンやパチンコ機等に代表される遊技機、及びそのような遊技機を複数台設置する島設備に関する。
【背景技術】
【０００２】
従来、例えば特許文献１（スロットマシン）や特許文献２（パチンコ機）に開示されているような遊技機は、パチンコホールやゲームセンター等の遊技場に隣接した状態で設置されている。一般的に、このように隣接した状態で設置された遊技機の一群を島設備と称しており、各遊技機は、島設備を構成する基台（フレーム）に対して、電気的かつ機械的に所定の組み付け手順に従って設置されている。遊技場内において、このような島設備は多数設置されており、各島設備には、遊技機毎に遊技者が着座できる椅子が設置されている。そして、遊技場に来場した遊技者は、島設備間の通路を歩きながら、好みの遊技機の前に設置された椅子に座って遊技を行なっている。
【特許文献１】特開２００２−３０１１８５号公報
【特許文献２】特開２００２−１９１８１４号公報
【発明の開示】
【発明が解決しようとする課題】
【０００３】
ところで、従来の遊技機は、島設備を構成する基台に対して、単に組み付けられているに過ぎず、その高さは、全ての遊技機に亘って統一されている。すなわち、遊技機の高さ（筐体の高さ寸法）が一定であることから、島設備に設置される遊技機は、全てその高さが統一されている。このため、椅子に座った遊技者の身長によって、遊技領域、表示装置等を見る視点が異なってしまい、遊技者によっては、遊技が行ない難くなることがある。また、通常、椅子の高さも固定されていることから、椅子の座面と遊技機の筐体との間の距離も一定となっており、遊技者の体型によっては、窮屈になったり間隔が大きくなって、各種操作部材の操作がし難い等、遊技が行ない難くなることもある。
【０００４】
本発明は、上記した点に着目してなされたものであり、全ての遊技者にとって遊技を行ない易くした遊技機、及びそのような遊技機が組み込まれる島設備を提供することを目的とする。
【課題を解決するための手段】
【０００５】
上記した目的を達成するために、本発明に係る遊技機は、請求項１にあるように、遊技領域を備えた筐体と、前記筐体に設けられ、筐体を上下動させる昇降ユニットと、を有することを特徴とする。
【０００６】
このような構成では、遊技機の筐体を島設備の基台に設置した状態で昇降ユニットを駆動すると、筐体部分が基台に対して上下動することが可能となる。このため、椅子に座った遊技者は、その身長や体型に応じて遊技機の筐体を最適な高さに設定することが可能となり、全ての遊技者にとって、視認性及び操作性の向上が図れ、遊技が行ない易くなる。
【０００７】
また、請求項２に係る発明においては、前記昇降ユニットは、駆動モータと、この駆動モータの正転／逆転駆動によってその駆動力を、前記筐体の上下動運動に変換する動力伝達機構とを有することを特徴とする。
【０００８】
このような構成によれば、筐体は、駆動モータによって上下駆動されることから、遊技者が手動によって筐体を押し上げ／押し下げ操作する必要が無くなって、全ての遊技者にとって高さ調整が容易に行なえるようになる。
【０００９】
また、請求項３に係る発明は、遊技機を隣接して複数台設置可能な基台を有する島設備であって、前記基台の遊技機が設置される部分に、設置される遊技機を上下動させる昇降ユニットを配設したことを特徴とする。
【００１０】
このような構成では、遊技機の筐体を島設備の基台に設置することで、筐体部分は、島設備に配設された昇降ユニットによって上下動することが可能となる。このため、椅子に座った遊技者は、その身長や体型に応じて遊技機の筐体を最適な高さに設定することが可能となり、全ての遊技者にとって、視認性及び操作性の向上が図れ、遊技が行ない易くなる。また、このような構成では、遊技機毎に昇降ユニットを設けておく必要がないため、遊技機のコストを高くすることなく、高さ調整が可能な遊技機とすることが可能となる。
【００１１】
また、請求項４に係る発明においては、前記昇降ユニットは、駆動モータと、この駆動モータの正転／逆転駆動によってその駆動力を、設置される筐体の上下動運動に変換する動力伝達機構とを有することを特徴とする。
【００１２】
このような構成によれば、島設備に設置された筐体は、島設備に配設された昇降ユニットの駆動モータによって上下駆動されることから、遊技者が手動によって筐体を押し上げ／押し下げ操作する必要が無くなって、全ての遊技者にとって高さ調整が容易に行なえるようになる。
【発明の効果】
【００１３】
本発明によれば、島設備に配設された昇降ユニット、或いは遊技機に設けられた昇降ユニットによって、遊技機の筐体が上下動するよう構成されるため、遊技者の身長や体型に関係なく、視認性、及び操作性を最適な状態に調整することができ、遊技し易い遊技機が得られるようになる。
【発明を実施するための最良の形態】
【００１４】
以下、図面を参照しながら、本発明の実施形態について具体的に説明する。  
図１から図３は、本発明の一実施の形態を示す図であり、図１は、遊技機（スロットマシン）が隣接して設置された島設備の一例を示す図、図２は、図１に示す島設備に設置される遊技機の構成を示す図、そして、図３は、昇降ユニットの構成を示す図である。
【００１５】
通常、遊技場内には、多数の島設備が設置されており、図１は、そのような島設備の構成例を示している。島設備１は、遊技機であるスロットマシン１０を多数、隣接して設置可能にする基台３を有している。この基台３には、スロットマシン１０が機械的、かつ電気的に組み付けることができるようになっており、各スロットマシン１０には、島設備を介して駆動電力が供給されると共に、各スロットマシン１０の動作状況は、島設備を介して接続されるホールコンピュータによって監視されるようになっている。この場合、島設備１の基台３には、スロットマシン以外の構成要素、例えば、各スロットマシン間において、遊技媒体を貸出すための遊技媒体貸出装置（図示せず）が配設されていても良い。
【００１６】
また、島設備１には、設置されるスロットマシン１０の正面位置において、遊技者が着座して遊技ができるように椅子５が設置されている。この場合、各椅子５は、スロットマシン１０に対して、接近／離反できるようなスライド機構を備えていても良いし、高さ調整が行なえるように高さ調整機能を備えていても良い。
【００１７】
図１及び図２に示すように、島設備１に設置されるスロットマシン１０は、前面に開閉可能なドア（前面扉）１２ａを有する筐体１２を備えている。ドア１２ａには、その前面のほぼ中央より上部に、パネル表示部１３ａと、各種の演出表示を行なう画像表示装置を構成する液晶表示部１３ｂと、固定表示部１３ｃとを有する遊技領域１３が設けられている。また、筐体１２の内部（液晶表示部１３ｂの背面）には、変動表示装置（ここでは、機械的に回転する３個の回転リールを備えたリールユニット）が設置されており、リールユニットの各リール１５Ｌ，１５Ｃ，１５Ｒの外周表面には、複数種類の図柄によって構成される図柄列が描かれている。なお、各リール１５Ｌ，１５Ｃ，１５Ｒに形成された図柄は矩形の図柄表示領域１６Ｌ，１６Ｃ，１６Ｒを通して視認できるようになっている。また、前記パネル表示部１３ａには、遊技中に遊技者によって視認される各種の表示部１８、例えばボーナス遊技情報表示部、ＢＥＴランプ、払出表示部、クレジット表示部等が設けられている。
【００１８】
前記パネル表示部１３ａ、液晶表示部１３ｂ、固定表示部１３ｃの下方には、略水平面の台座部２０が形成されている。この台座部２０の左側には、遊技を行なうに際して押圧操作される各種の操作ボタン２１（例えば、クレジットされている遊技媒体としてのメダルを賭けるＢＥＴボタン、遊技者がゲームで獲得したメダルのクレジット／払出しを押しボタン操作で切り換えるＣ／Ｐボタン等）が設けられると共に、台座部２０の右側には、メダルを投入する投入口２２が設けられている。
【００１９】
また、台座部２０の前面中央部には、前記リール１５Ｌ，１５Ｃ，１５Ｒを回転させるためのスタートレバー２５、及び各リール１５Ｌ，１５Ｃ，１５Ｒの回転をそれぞれ停止させるための３個の停止ボタン２６Ｌ，２６Ｃ，２６Ｒが設けられている。さらに、前面扉１２ａの下方には、遊技者が遊技によって獲得した遊技媒体が排出されるトレイ２９が前方に向けて突出するように形成されている。
【００２０】
前記筐体１２の下面には、後述する昇降ユニット５０が設置される略矩形のプレート４０が装着されている。プレート４０の四隅には、円形の開口４１が形成されており、この部分に昇降ユニット５０の作動部７０が設置されるようになっている。
【００２１】
昇降ユニット５０は、筐体１２を正面視した際に、その両サイドに設置されるようになっており、図２及び図３に示すように、島設備１の基台３の所定位置に設置固定される支持フレーム５１を有している。各支持フレーム５１は、前後方向に亘って（筐体の奥行き長さに亘って）延出しており、その表面部には、駆動源となる駆動モータ５２、駆動モータ５２の回転駆動力を作動部７０に伝達する動力伝達機構５５が設置されている。
【００２２】
動力伝達機構５５は、駆動モータ５２の回転駆動力を伝達する駆動軸５６と、駆動軸の端部５６に設置されたギヤボックス５７、及びギヤボックス５７から垂直上方に向けて突出形成されるスクリューシャフト５８を備えている。この場合、ギヤボックス５７の内部には、前記駆動軸５６に装着されたウオームギヤ６０と、このウオームギヤ６０に噛合するピニオンギヤ６２が設置されており、前記スクリューシャフト５８は、ピニオンギヤ６２に装着されている。
【００２３】
また、前記作動部７０は、スクリューシャフト５８の中間部分に設置されており、上記したプレート４０に形成された円形の開口４１に嵌合して位置決め固定されるフランジナット７１を備えている。このフランジナット７１のフランジ部７１ａは、プレート４０の裏面の開口４１の周囲に対して固定されるようになっている。
【００２４】
上記したように構成される昇降ユニット５０によれば、両サイドに設置される駆動モータ５２が同期駆動されることにより、その回転駆動力は、上記した動力伝達機構５５を介して、四隅に設置された各スクリューシャフト５８に伝達される。すなわち、筐体１２の四隅において、各スクリューシャフト５８が回転駆動されることで、筐体１２は、作動部７０を介して水平状態を保ちながら上下方向に駆動される。この場合、駆動モータ５２を正転駆動／逆転駆動することにより、筐体１２は昇降駆動されるようになる。
【００２５】
なお、上記した駆動モータ５２を実際に駆動する駆動手段（駆動回路）は、例えば、スロットマシン１０の遊技を制御する制御基板に設置しておいても良いし、専用の基板を筐体内部に設置して駆動するようにしても良い。また、実際に昇降動作を行なうために操作される昇降操作部については、例えば、図２に示すように、台座部２０の前面部に、上昇ボタン８０、及び下降ボタン８１を設置することで構成することが可能である。
【００２６】
以上のように構成されたスロットマシン１０によれば、椅子５に座った遊技者は、上昇ボタン８０や下降ボタン８１を押圧操作することで、その身長や体型に応じて、遊技領域や表示部が視認し易く、かつ各種の操作部が操作し易い最適な高さ位置に設定することが可能となる。すなわち、上記したような昇降ユニット５０を設置したことにより、図４に示すように、島設備１に設置されたスロットマシン１０は、着座する遊技者が最適な遊技状態が得られるように、その高さ位置を変更することが可能となる。
【００２７】
また、上記した構成では、筐体１２の上下動は、昇降ユニット５０に設けられた駆動モータ５２を介して行なうように構成したことから、遊技者が実際に筐体１２を保持しながら昇降操作を行なう必要も無く、操作性の向上が図れるようになる。
【００２８】
以上、本発明の実施形態について説明したが、本発明は、上記した実施形態の構成に限定されることはなく、適宜、変形することが可能である。
【００２９】
上記した実施形態においては、昇降ユニット５０は、スロットマシン１０の筐体１２に設けるように構成したが、昇降ユニットについては、島設備１の基台３に、設置されるスロットマシン毎に配設しておいても良い。このような構成によれば、各スロットマシン１０に、別途昇降ユニット５０を予め設けておく必要がないため、通常のスロットマシンを設置しても、高さ調整を行なうことが可能となる。
【００３０】
また、上記した昇降ユニットについては、筐体を上下方向にシフトできるように構成されたものであれば良く、上記したような構成に限定されることはない。例えば、ラックや油圧などを利用したジャッキ装置で構成しても良いし、手動で昇降操作を行なうような構成であっても良い。
【００３１】
さらに、上記した昇降ユニットを駆動する駆動モータについては、例えば、一定時間遊技が行なわれないような場合に、筐体がホームポジション位置に戻るように駆動制御をしても良い。すなわち、このように構成することで、一定時間遊技が行なわれない筐体の高さ位置を揃えることができ、島設備の外観の向上が図れるようになる。
【産業上の利用可能性】
【００３２】
上記した実施形態では、遊技機としてスロットマシンを例示したが、パチンコ機、カードゲーム機等、各種の遊技機に適用することが可能である。
【図面の簡単な説明】
【００３３】
【図１】遊技機（スロットマシン）が隣接して設置された島設備を示す斜視図。
【図２】図１に示す島設備に設置されるスロットマシンの構成を示す図、
【図３】スロットマシンに設けられる昇降ユニットの構成を示す図。
【図４】スロットマシンの高さが調整された島設備を示す正面図。
【符号の説明】
【００３４】
１  島設備
３  基台
５  椅子
１０  スロットマシン（遊技機）
１２  筐体
５０  昇降ユニット
５５  動力伝達機構
７０  作動部
８０  上昇ボタン
８１  下降ボタン
【図１】
2006271719.tif 000003
【図２】
2006271719.tif 000004
【図３】
2006271719.tif 000005
【図４】
2006271719.tif 000006